(57)【特許請求の範囲】
【請求項１】
基端が浴室の床に定着されて起立されるシリンダ体とこのシリンダ体内に下端側が出没可能に挿通されるロッド体とを有してなるラム型に設定のシリンダと、このシリンダにおけるロッド体の上端に連設されたアームを介して吊持される着座用シートとを有してなるリフト装置であって、シリンダがシリンダ体内に形成される水圧室に上水道からの水圧を供給することで伸長すると共に水圧室の水圧を解放することで収縮するように設定されてなる一方で、ロッド体がディテント機構の配在下にロッド体の径方向に移動するガイドピンを有してなると共に、シリンダ体が内周に上下方向に延在されてガイドピンの一端および他端のいずれか一方を選択的に係合させるガイド溝を有してなり、このガイド溝がシリンダ体の下端部から上端部にかけて延在される直線部と、この直線部の上端に連続して水平方向に旋回しながら上昇する旋回部と、この旋回部の上端に連続して下降しガイドピンをロッド体の径方向に切換移動させる切換部とを有してなることを特徴とするリフト装置
【請求項２】
ガイド溝が二条に設定されると共に双方の位置関係が水平方向に９０度となるように設定されてなる請求項１のリフト装置
【発明の詳細な説明】
【０００１】
【発明の属する技術分野】
この発明は、リフト装置に関し、特に、身体障害者や老人あるいは病人などの要介護者が入浴する場合に利用するリフト装置の改良に関する。
【０００２】
【従来技術とその問題点】
周知のように、身体障害者や老人あるいは病人などの要介護者が入浴する場合には、通常の者たる健常者が入浴する場合と異なり、通常の入浴設備が整っているだけでは十分でない。
【０００３】
そこで、多くの場合に、リフト装置が配備されるとし、このリフト装置を利用して要介護者が入浴できるようにするが、この場合のリフト装置としては、たとえば、実開平１−８４６３９号公報に開示の提案がある。
【０００４】
すなわち、この従来提案とされるリフト装置は、基本的には、シリンダが浴室の床に立設されるとする一方で、要介護者が着座する椅子のシート部分が伸縮するシリンダで昇降されると共にこのシリンダを内装する支柱周りで水平方向に旋回するとするものである。
【０００５】
それゆえ、このリフト装置によれば、これが所定位置たる浴室の浴槽付近となる床に設置されるだけで、その利用が可能になる利点があるが、その反面で以下のような不具合があることが指摘される可能性がある。
【０００６】
すなわち、まず、上記したリフト装置におけるシリンダは、油圧シリンダに設定されていて、油圧源による油の給排で伸縮するように設定されているから、いわゆる油漏れが招来される場合には、本来清潔であるべき浴室の床を油で汚染することになる不具合がある。
【０００７】
また、上記したリフト装置におけるシリンダは、要介護者が着座する椅子のシート部分を旋回させる着座用シート３を旋回させる支柱内に内装されるとしているから、この支柱が設けられる分だけ上下方向および水平方向にいわゆる嵩張ることになる。
【０００８】
その結果、たとえば、個人的家庭的に汎用されているユニットバス周りに上記したリフト装置を配置しようとしても、ユニットバスにおける天井高が低いがゆえに、それを実現できなくし、したがって、要介護者を在宅看護するような場合には、このリフト装置を利用できなくする不具合がある。
【０００９】
この発明は，上記した事情を鑑みて創案されたものであって、その目的とするところは、全体的な嵩張りをなくして設置性を向上させると共に、浴室における油汚染の危惧なくして、養護老人ホームなどの専門施設への設置はもちろんのこと、要介護者を在宅看護するような個人的家庭的な設置についても最適となるリフト装置を提供することである。
【００１０】
【課題を解決するための手段】
上記した目的を達成するために、この発明によるリフト装置の構成を、基本的には、基端が浴室の床に定着されて起立されるシリンダ体とこのシリンダ体内に下端側が出没可能に挿通されるロッド体とを有してなるラム型に設定のシリンダと、このシリンダにおけるロッド体の上端に連設されたアームを介して吊持される着座用シートとを有してなるリフト装置であって、シリンダがシリンダ体内に形成される水圧室への上水道からの水圧の供給で伸長すると共に水圧室の水圧の解放で収縮するように設定されてなる一方で、ロッド体がディテント機構の配在下にこのロッド体の径方向に移動するガイドピンを有してなると共に、シリンダ体が内周に上下方向に延在されてガイドピンの一端および他端のいずれか一方を選択的に係合させるガイド溝を有してなり、このガイド溝がシリンダ体の下端部から上端部にかけて延在される直線部と、この直線部の上端に連続して水平方向に旋回しながら上昇する旋回部と、この旋回部の上端に連続して下降しガイドピンをロッド体の径方向に切換移動させる切換部とを有してなるとする。
【００１１】
そして、上記した基本的な構成において、より具体的には、ガイド溝が二条に設定されると共に双方の位置関係が水平方向に９０度となるように設定されてなるとする。
【００１２】
また、上記した基本的な構成において、より具体的には、シリンダを伸縮させる水圧の供給および解放は、上水道とシリンダとの間に配在されて手動操作で切り換えられる切換バルブにおける切換操作で具現化されるとし、このとき、切換操作を具現化する操作部は、好ましくは、たとえば、着座用シートに設けられている肘掛に配在されてなるとする。
【００１３】
そして、上記した基本的な構成において、切換部は、たとえば、その上端から下端にかけての深さを徐々に浅くするようにして、ガイドピンをロッド体の径方向に切換移動させるとしても良く、また、その上端から下端近傍にかけての深さを一定にしたまま下端に突起を設けるようにし、この突起にガイドピンが干渉するときにガイドピンがロッド体の径方向に切換移動するとしても良い。
【００１４】
なお、シリンダ、すなわち、シリンダを構成するシリンダ体の基端は、浴室の床に埋設などされている基台部に連設されて固定的に定着されるとしても良く、また、シリンダ体の基端に連設される補助脚などが利用されて撤去可能に定着されるとしても良い。
【００１５】
【発明の実施の形態】
以下に、図示したところに基づいて、この発明を説明するが、この発明によるリフト装置は、図１および図２に示すように、基端が浴室の床Ｆに定着されて起立されるシリンダ体１０とこのシリンダ体１０内に下端側が出没可能に挿通されるロッド体２０とを有してなるラム型に設定のシリンダ１と、このシリンダ１におけるロッド体２０の上端に連設されたアーム２を介して吊持される着座用シート３とを有してなる。
【００１６】
そして、このリフト装置は、浴槽Ｂの外にある着座用シート３（図２中の仮想線図参照）を昇降および揺動させていわゆる浴槽Ｂを跨ぐようにして浴槽Ｂ内に臨在させ（図２中の実線図参照）、あるいは、浴槽Ｂ内からいわゆる元に戻して浴槽Ｂの外に配在し得るように構成されている。
【００１７】
なお、この実施の形態にあって、着座用シート３は、水平方向の９０度の角度に揺動されように設定されている。
【００１８】
ちなみに、シリンダ体１０の下端は、図示する実施の形態では、いわゆる袴状に形成された（図３参照）ボトム部材１１で閉塞されてなるとするが、このボトム部材１１は、この実施の形態では、シリンダ体１０を浴室の床Ｆに起立させるときの定着台座部材を兼ねるとしている。
【００１９】
それゆえ、上記のシリンダ体１０の下端は、図示しないが、たとえば、あらかじめ浴室の床Ｆに埋設されているいわゆる基台部にボトム部材１１が連設されることで固定的に定着されるとしても良く、また、これに代えて、このボトム部材１１に連設される補助脚などが利用されて浴室の床Ｆ上に撤去可能に定着されるとしても良い。
【００２０】
ちなみに、シリンダ１は、所定の自己支持性を有するように構成されるのはもちろんのこと、後述するアーム２を保持する、すなわち、アーム２を介して要介護者が着座した状態の着座用シート３を吊持するのに十分な機械的強度を有するように構成される。
【００２１】
一方、このシリンダ１は、図３に示すように、ロッド体２０の下端部たるガイド部３０でこのシリンダ体１０内に形成される水圧室Ｒに上水道（図中に符号Ｐで示す）からの水圧が供給されることで伸長すると共に、上記の水圧室Ｒに供給された水圧を解放することで収縮するように設定されている。
【００２２】
ちなみに、ロッド体２０の下端部たるガイド部３０は、ロッド体２０がシリンダ体１０に対して出没する際に、その外周面がシリンダ体１０の内周面に摺接していて、シリンダ体１０とロッド体２０との曲りを阻止するとしている。
【００２３】
また、上水道Ｐからの水圧は、切換バルブＶを介して上記の水圧室Ｒに供給されるとしており、この切換バルブＶは、操作部Ｖ１における手動操作で供給ポジションＶ２あるいは排出ポジションＶ３に切り換えられるとしている。
【００２４】
そして、この実施の形態では、図示しないが、上記の操作部Ｖ１が着座用シート３における肘掛３ａ（図１および図２参照）に設けられるとしており、このリフト装置を利用する要介護者が自らの力で切換バルブＶを切換操作し得るようにしてリハビリを兼ねられるように配慮している。
【００２５】
なお、シリンダ１を収縮させるために水圧室Ｒから解放された水圧、すなわち、水は、これがタンクＴに貯溜されるとして、いわゆる再利用を図り得るようにしている。
【００２６】
また、図示しないが、切換バルブＶは、水圧の給排を停止する、すなわち、シリンダ１の伸縮を停止するポジションとしての遮断ポジションを有するとしても良い。
【００２７】
以上のように、シリンダ１が水圧の利用で伸長作動するように構成されることで、いわゆる駆動源としての油圧源などの装備を必要としない点で有利となるのはもちろんのこと、仮にいわゆる液漏れが招来されても、いわゆる油圧を利用する場合の液漏れ、すなわち、油漏れに比較して、浴室の床Ｆを油で汚染することがなく、浴室を衛生的に維持し得る上で有利となる。
【００２８】
ところで、シリンダ体１０は、この実施の形態では、図３および図４に示すように、その内周に上下方向に延在される二条のガイド溝たる一方のガイド溝１２および他方のガイド溝１３を有してなるとしており、ロッド体２０は、ガイド部３０の近傍にディテント機構Ｄ（図４参照）の配在下にこのロッド体２０の径方向に移動するガイドピン４０を有してなるとしている。
【００２９】
そして、ロッド体２０がシリンダ体１０に対して出没されるこのシリンダ１の伸縮時にガイドピン４０の一端および他端のいずれか一方が選択的に上記の各ガイド溝１２，１３のいずれか一方に係合するとしており、特に、ロッド体２０の最伸長状態から最伸長近傍状態のストローク内では、ガイドピン４０の係合でロッド体２０がシリンダ体１０に対して回動して着座用シート３を吊持するアーム２を旋回させるように設定されてなるとしている。
【００３０】
ちなみに、この実施の形態では、前記したように、着座用シート３が水平方向の９０度の角度に揺動されように設定されてなるとすることから、各ガイド溝１２，１３における双方の位置関係は、これが水平方向の９０度となるように設定されている。
【００３１】
少し説明すると、まず、ガイドピン４０は、図４に示すように、両端を球面仕上にした円柱状体からなり、中間部の外周に断面を円弧状とする二条の環状凹部４１，４２を有してなるとしている。
【００３２】
ちなみに、このガイドピン４０の長さであるが、一端が一方のガイド溝１２に臨在されているときに、他端がロッド体２０外周から全く突出しないか、あるいは、突出するとしてもシリンダ体１０の内周には干渉しないことになる長さに設定されている。
【００３３】
なお、ガイドピン４０の両端についてだが、要は、各ガイド溝１２，１３に臨在されるときに摺動し易い構造に設定されていれば良く、上記した球面仕上に代えて、たとえば、図５に示すように、テフロンなどの摺動性に富む材料で形成された摺接材４３が表面に展着されてなるとしても良く、さらには、図示しないが、ボールペンのいわゆるペン先の如くに球体を有する構造に設定されてなるとしても良い。
【００３４】
一方、ガイドピン４０に関連するディテント機構Ｄは、ガイド部３０の下方となるロッド体２０内に設けられてなるもので、上記したガイドピン４０における環状凹部４１，４２に選択的に嵌合する硬球Ｄ１と、この硬球Ｄ１を背後側から附勢するスプリングＤ２と、このスプリングＤ２を係止してロッド体２０に螺着されるキャップＤ３とを有してなる。
【００３５】
それゆえ、このディテント機構Ｄにあっては、ガイドピン４０が、たとえば、図４に示す左行した状態にある場合には、いわゆる外力作用がない限りで静止状態に維持されると共に、外力作用で右行されるときにはこれが許容されることになり、また、右行したガイドピン４０が、上記したところと同様にして静止状態に維持されると共にその左行が許容されることになる。
【００３６】
前記したように設定されたガイドピン４０に対して、各ガイド溝１２，１３は、以下のように構成されている。
【００３７】
すなわち、一方のガイド溝１２および他方のガイド溝１３は、図６に概略的に示すように、共に、シリンダ体１０の下端部から上端部にかけて延在される直線部１２ａ，１３ａと、この直線部１２ａ，１３ａの上端に連続して水平方向に９０度回転しながら上昇する旋回部１２ｂ，１３ｂと、この旋回部１２ｂ，１３ｂの上端に連続して適宜の長さに下降しながらその深さを徐々に浅くする切換部１２ｃ，１３ｃとを有してなる。
【００３８】
ちなみに、上記の旋回部１２ｂ，１３ｂは、その回転方向が互いに逆向きになるように設定されていて、後述するようにガイドピン４０がいわゆる戻り運動を実行し得るようにしている。
【００３９】
そして、切換部１２ｃ，１３ｃは、その上端から下端にかけての深さを徐々に浅くするようにして、ガイドピン４０がこの切換部１２ｃ，１３ｃを下降するときにロッド体２０の径方向への切換移動が実現されるとしているが、これに代えて、その上端から下端近傍にかけての深さを一定にしたままで下端に突起を設けるようにし、ガイドピン４０がこの突起に干渉するときにロッド体２０の径方向に切換移動するように設定するとしても良い。
【００４０】
また、各ガイド溝１２，１３における直線部１２ａ，１３ａの下端位置については、浴槽Ｂの深さと浴室の床Ｆの高さ位置との関係で決定されるが、図６に示すところでは、浴槽Ｂの深さのほうが床Ｆの高さ位置より低くなるように設定されてなるとして、他方のガイド溝１３における直線部１３ａの下端位置の方が一方のガイド溝１２における直線部１２ａの下端位置より低くなるとしている。
【００４１】
以上のように構成されている各ガイド溝１２，１３に対するガイドピン４０の係合状態を看ると以下のようになるが、はじめに、ガイドピン４０は、図４に示す左行状態にあって一端が一方のガイド溝１２に係合しており、このときに、着座用シート３が浴槽Ｂの外にあって最下降状態にあると仮定する。
【００４２】
そして、この状態が図６中に符号ａで示す状態であるとすると、この状態からシリンダ１に水圧を供給してこれを伸長させると、ガイドピン４０の一端が一方のガイド溝１２の直線部１２ａに係合した状態で上昇する。
【００４３】
ガイドピン４０の一端が、図６中に符号ｂで示すように、直線部１２ａの上端に到達すると共に、これに引き続いて、図６中に符号ｃで示すように、旋回部１２ｂに至ると、ガイドピン４０が水平方向に回転しながらさらに上昇して、図６中に符号ｄで示すように、ガイド溝１２をいわゆる最上昇した状態になる。
【００４４】
ちなみに、ガイドピン４０の一端が旋回部１２ｂにあるときには、ロッド体２０がシリンダ体１０に対して回動される状態になり、それゆえ、一端が旋回部１２ｂを最上昇したガイドピン４０は、当初の角度位置に比較して９０度回転した位置におかれることになり、したがって、このときには、浴槽Ｂの外にあった着座用シート３が浴槽Ｂの上方に位置決められている状態になる。
【００４５】
この状態から、シリンダ１への水圧を解放してこれを収縮させると、ガイドピン４０の一端が切換部１２ｃに係合することになり、その結果、ガイドピン４０が、図６中に符号ｅで示すように、徐々にいわゆる後退することになり、図６中に符号ｆで示すように、ガイドピン４０の一端が切換部１２ｃの最下端に到達したときには、ガイドピン４０の他端が他方のガイド溝１３における直線部１３ａの上端に係合する状態になる。
【００４６】
それゆえ、この状態からさらにシリンダ１の収縮が継続されると、ガイドピン４０の他端が他方のガイド溝１３における直線部１３ａに係合された状態で下降することになり、ガイドピン４０の他端が、図６中に符号ｇで示すように、上記の直線部１３ａを最下降したときに、着座用シート３が浴槽Ｂ内に下降された状態になる。
【００４７】
一方、上記したところと逆に、浴槽Ｂ内にある着座用シート３を浴槽の外に出すには、ガイドピン４０の他端が他方のガイド溝１３における直線部１３ａの最下端にある状態から、シリンダ１を伸長するようにする。
【００４８】
その結果、ガイドピン４０は、他端がガイド溝１３における直線部１３ａに係合した状態で上昇してこの直線部１３ａの最上端に至り、そのままシリンダ１の伸長が継続されることで、ガイドピン４０の他端が旋回部１３ｂに至り、図６中に符号ｈで示すように、水平方向に回転しながらさらに上昇して、図６中に符号ｉで示すように、ガイド溝１３をいわゆる最上昇した状態になる。
【００４９】
ちなみに、ガイドピン４０の他端が旋回部１３ｂにあるときには、ロッド体２０がシリンダ体１０に対していわゆる戻る方向に回動される状態になり、それゆえ、旋回部１３ｂを通過して最上昇したガイドピン４０は、ガイド溝１３における直線部１３ａを上昇するときの角度位置に比較して戻る方向の水平方向に９０度回転した位置におかれることになり、したがって、このときには、浴槽Ｂ内にあった着座用シート３が浴槽Ｂの外の上方に位置決められている状態になる。
【００５０】
この状態から、シリンダ１への水圧を解放してこれを収縮させると、ガイドピン４０の他端が切換部１３ｃに係合することになり、その結果、ガイドピン４０が、図６中に符号ｊで示すように、徐々にいわゆる後退することになり、図６中に符号ｋで示すように、切換部１３ｃの最下端に到達したときには、ガイドピン４０の他端が他方のガイド溝１２における直線部１２ａの上端部に係合する状態になる。
【００５１】
それゆえ、この状態からさらにシリンダ１の収縮が継続されると、ガイドピン４０の一端が一方のガイド溝１２における直線部１２ａに係合された状態で下降することになり、ガイドピン４０が、図６中に符号ａで示すように、上記の直線部１２ａを最下降したときに、着座用シート３が浴槽Ｂの外に下降された状態になる。
【００５２】
なお、シリンダ１を伸縮させる操作は、切換バルブＶにおける切換操作であることはもちろんであるが、この切換操作は、切換バルブＶにおける操作部Ｖ１が着座用シート３における肘掛３ａに配在されているときには、着座用シート３に着座する要介護者が直接操作することになり、また、それ以外の場所、すなわち、着座用シート３から離れた位置に操作部Ｖ１がある場合には、介護者が操作することになる。
【００５３】
前記したところは、シリンダ１に吊持される着座用シート３を浴槽Ｂの内外で９０度の角度範囲で旋回させるように設定したことから、ガイド溝が二条（１２，１３）とされてなるが、この発明が意図するところを勘案すると、着座用シート３を片側で１８０度の角度範囲で旋回させるように設定する場合には、ガイドピン４０がディテント機構Ｄの配在下に設けられる限り、一条のガイド溝のみを有してなるとしても良いことになる。
【００５４】
そして、この場合には、シリンダ体１０の内周に二条のガイド溝１２，１３を形成しなくて済むから、シリンダ体１０における加工工数の削減が可能になり、したがって、このリフト装置におけるコストの低廉化を図る上では、前記した実施の形態の場合に比較して有利となる。
【００５５】
ただ、この場合には、トータル的には着座用シート３が３６０度旋回することになり、大きい占有面積が必要になる不利があるが、着座用シート３を浴槽Ｂの内外でいわゆる往復させて昇降させ得る点では、前記したところと同様の作用効果が得られることになり、その具現化が可能になる。
【００５６】
【発明の効果】
以上のように、この発明にあっては、着座用シートを保持するシリンダが上水道からの水圧で伸長するように設定されてなるとするから、シリンダが、たとえば、油圧の利用で伸長するように設定される場合に比較して、いわゆる駆動源としての油圧源などの装備を必要としない利点があるのはもちろんのこと、仮にいわゆる液漏れ現象が発現されても浴室の床を油で汚染するような不具合が招来されない点で有利となる。
【００５７】
また、この発明にあっては、ロッド体がシリンダ体に対して出没されることになるシリンダの伸縮の際に、ロッド体に移動可能に設けたガイドピンの一端あるいは他端がシリンダ体の内周に形成のガイド溝に選択的に係合してなるとし、しかも、ロッド体をシリンダ体に対して回転させるために、ガイド溝において旋回部を有する構成とし、また、ガイドピンのいわゆる方向を切り換えるために、ガイド溝において切換部を有してなるとしたから、切換バルブにおける切換操作のみでシリンダを伸縮させ得ると共に、シリンダの伸縮のみで言わば自動的に着座用シートを所定の角度に旋回させることが可能になり、したがって、利用時の操作が簡単になる利点があるのはもちろんのこと、着座用シートを旋回させる要素、すなわち、ガイド溝とガイドピンがいずれもシリンダ内にあるから、前記した従来例のように着座用シートを旋回させるための装置やこれを保持するための支柱などをシリンダ周りに設ける必要がなく、このリフト装置における全体的な嵩張りや長尺化を招来させない点で有利となる。
【００５８】
その結果、この発明によれば、全体的な嵩張りをなくして設置性を向上させると共に、浴室における油汚染の危惧なくして、養護老人ホームなどの専門施設への設置はもちろんのこと、要介護者を在宅看護するような個人的家庭的な設置についても最適となる利点がある。
【図面の簡単な説明】
【図１】この発明の一実施の形態によるリフト装置の利用状態を浴槽を破断した状態で示す立面図である。
【図２】旋回された着座用シートを仮想線図で示しながら図１のリフト装置を示す平面図である。
【図３】図１のリフト装置におけるシリンダを拡大すると共に一部破断して示す部分縦断面図である。
【図４】シリンダ体内のロッド体部分にディテント機構下にガイドピンが設けられている状態を示す拡大部分横断面図である。
【図５】他の実施の形態によるガイドピンの端部をシリンダ体およびロッド体と共に部分的に拡大して示す横断面図である。
【図６】ガイドピンがガイド溝に係合する状態を経時的に示す説明図である。
【符号の説明】
１  シリンダ
２  アーム
３  着座用シート
３ａ  肘掛
１０  シリンダ体
１１  ボトム部材
１２，１３  ガイド溝
１２ａ，１３ａ  直線部
１２ｂ，１３ｂ  旋回部
１２ｃ，切換部
２０  ロッド体
３０  ガイド部
４０  ガイドピン
Ｂ  浴槽
Ｄ  ディテント機構
Ｆ  床
Ｐ  上水道
Ｒ  水圧室
Ｔ  タンク
Ｖ  切換バルブ
【図１】
0003871002.tif 000002
【図２】
0003871002.tif 000003
【図３】
0003871002.tif 000004
【図４】
0003871002.tif 000005
【図５】
0003871002.tif 000006
【図６】
0003871002.tif 000007